(57)【要約】【課題】下穴に嵌入された栓が、硬化性接着剤が硬化するまで所定位置に保たれるとともに、胴縁を適正な位置で固定できる埋め込み栓の施工構造を提供する。【解決手段】下地材４に設けられた下穴４１に硬化性接着剤５を注入して栓１ａを嵌入し、接着剤硬化後この栓１ａに胴縁６が固定される埋め込み栓の施工構造１であって、上記栓１ａをテーパ状とするとともに、該栓上面の周囲の全部または一部が上記下穴４１の開口縁４１１とタイトに接触して掛止された埋め込み栓の施工構造。好ましくは、上記栓が逆円錐台形状１ａまたは逆角錐台形状２ａ、２ｂとされる。【選択図】図５
2005155118.tif 000002
【特許請求の範囲】
【請求項１】
下地材に設けられた下穴に硬化性接着剤を注入して栓を嵌入し、接着剤硬化後この栓に胴縁が固定される埋め込み栓の施工構造であって、上記栓をテーパ状とするとともに、該栓上面の周囲の全部または一部が上記下穴の開口縁とタイトに接触して掛止された埋め込み栓の施工構造。
【請求項２】
上記栓が逆円錐台形状または逆角錐台形状を有するものである請求項１に記載の埋め込み栓の施工構造。
【請求項３】
上記栓の上面にさらに胴縁受け部が延設された請求項１に記載の埋め込み栓の施工構造。
【請求項４】
下地材に設けられた下穴に硬化性接着剤を注入して栓を嵌入し、接着剤硬化後この栓に胴縁が固定される埋め込み栓の施工構造であって、上記栓を角柱とするとともに、上記下穴に嵌入後、該角柱のエッジ部がこの下穴の内周面と接触して掛止された埋め込み栓の施工構造。
【請求項５】
上記角柱の上面にさらに胴縁受け部が延設された請求項４に記載の埋め込み栓の施工構造。
【発明の詳細な説明】
【技術分野】
【０００１】
本発明は、埋め込み栓の施工構造に関する。さらに詳しくは、既存の下地材に化粧パネルを取付ける際に用いられる胴縁を固定するための埋め込み栓の施工構造に関する。
【背景技術】
【０００２】
従来から、建物の外装として、コンクリート駆体にＡＬＣ板、ＰＣ、石膏ボード等の下地材を張り付け、これに胴縁を介して金属サイディング等の化粧材を取付けることが行なわれている。しかしながら、アンカーボルトを直接下地材に埋め込み、これに胴縁を固定し、この胴縁を介して化粧材を取付けても、上記した下地材が脆いため、しばしば、アンカーボルトの抜けや、外れが生じる。そこで、上記下地材に下穴を開けて硬化性接着剤を注入し、木製、合成樹脂製の栓や金属製の雌ネジ筒体等を埋め込み、これらのアンカー材に胴縁を取付け、この胴縁に化粧材を固定することが行なわれている。
【特許文献１】特開平９−１５８３３４号公報（第１−３頁、第５図）
【特許文献２】特開平８−１８９０９１号公報（第１−３頁、第２図）
【特許文献３】特開２０００−２７４０４８号公報（第１−３頁、第２図）
【発明の開示】
【発明が解決しようとする課題】
【０００３】
しかしながら、上記技術においては、下地材に下穴を開けて硬化性接着剤を注入し、硬化させる間にアンカー材、例えば埋め込み栓が傾いたり、接着剤が硬化するとともに持ち上がり、中心線がずれて胴縁を適正な位置に固定できないという問題がある。本発明はこのような問題を解決して、下穴に嵌入された栓が、硬化性接着剤が硬化するまで所定位置に保たれるとともに、胴縁を適正な位置で固定できる埋め込み栓の施工構造を提供することをその課題とする。
【課題を解決するための手段】
【０００４】
上記課題を解決するために、本発明においては、つぎのような技術的手段を講じている。すなわち、本願第一発明によれば、下地材に設けられた下穴に硬化性接着剤を注入して栓を嵌入し、接着剤硬化後この栓に胴縁が固定される埋め込み栓の施工構造であって、上記栓をテーパ状とするとともに、該栓上面の周囲の全部または一部が上記下穴の開口縁とタイトに接触して掛止された埋め込み栓の施工構造が提供される。上記栓としては、木製、合成樹脂製が好ましく用いられる。
【０００５】
上記栓上面の周囲の全部が下穴の開口縁とタイトに接触する栓としては逆円錐台形状を有するものが好ましい。さらに、逆円錐台形状の上面に胴縁受け部が延設されることが好ましい。また上記栓上面の周囲の一部が下穴の開口縁とタイトに接触する栓としては逆角錐台形状を有するものが好ましい。さらに、逆角錐台形状の上面に胴縁受け部が延設されることが好ましい。上記胴縁受け部は、下穴の周囲をも覆えるとともに、胴縁を受ける台座形状とされ、とくに円形台座、方形台座が好ましく用いられる。
【０００６】
本願第二発明によれば、下地材に設けられた下穴に硬化性接着剤を注入して栓を嵌入し、接着剤硬化後この栓に胴縁が固定される埋め込み栓の施工構造であって、上記栓を角柱とするとともに、下穴に嵌入後、該角柱のエッジ部がこの下穴の内周面に接触して掛止された埋め込み栓の施工構造が提供される。上記角柱としては、四角柱、五角柱、六角柱等が好ましく用いられる。さらに、上記角柱の上面に胴縁受け部が延設されることが好ましい。上記胴縁受け部は、下穴の周囲をも覆えるとともに、胴縁を受ける台座形状とされ、とくに円形台座、方形台座が好ましく用いられる。
【発明の効果】
【０００７】
請求項１に記載の第一発明は上記のとおりであり、とくに、上記栓をテーパ状とするとともに、該栓上面の周囲の全部または一部が上記下穴の開口縁とタイトに接触して掛止されているため、予め、下穴に注入された硬化性接着剤が硬化するまで所定位置に保ち、胴縁を適正な位置でしっかりと固定することができる。
【０００８】
上記栓が逆円錐台形状または、逆角錐台形状を有しているため、栓の上面を下穴の開口縁よりやや大きめに形成し、下穴に軽く叩き込んで嵌入することにより、栓の上面円周部の全部または、一部が開口縁にタイトに接触して所定位置に掛止させることができる。さらに、上記栓上面に胴縁受け部が延設されているため、この胴縁受け部に載置された胴縁が、ビス留め等の固定手段により埋め込み栓にしっかりと固定される。
【０００９】
請求項４に記載の第二発明は上記のとおりであり、とくに、上記栓を角柱とするとともに、上記下穴よりやや大きめに形成した角柱を軽く叩き込んで嵌入するため、該角柱のエッジ部がこの下穴の内周面と接触して所定位置に掛止させることができる。さらに、上記栓上面に胴縁受け部が延設されているため、この胴縁受け部に載置された胴縁が、ビス留め等の固定手段により埋め込み栓にしっかりと固定される。
【発明を実施するための最良の形態】
【００１０】
以下、本発明の実施形態について図面を参照して、詳細に説明する。図１（ａ）は、本願第一発明にかかる埋め込み栓の施工構造に用いる栓１ａを示す斜視図である。栓１ａは、下地材としての後記ＡＬＣ４に設けた下穴４１に嵌入され易いように逆円錐台形状を有している。図１（ｂ）は図１ａの変形例である栓１ｂを示す斜視図である。図２（ａ）は、上記と同様に下地材に設けた下穴に嵌入され易いように逆四角錐台形状を有する栓２ａを示し、図２（ｂ）は逆六角錐台形状を有する栓２ｂを示す。また、上記栓１ａ、１ｂ、２ａ、２ｂの上面に、後記、下穴４１の周囲をも覆うとともに、胴縁６を受ける円形台座形状の胴縁受け部１１ａ、または方形台座形状の胴縁受け部１２ａを延設してもよい。
【００１１】
図３（ａ）は、本願第二発明にかかる埋め込み栓の施工構造に用いる四角柱形状を有する栓３ａを示す斜視図である。図３（ｂ）は六角柱形状を有する栓３ｂを示す斜視図である。下穴４１よりもやや大きめに形成した上記栓３ａ、栓３ｂを下穴４１に軽く叩き込んで嵌入することにより、該角柱のエッジ部が下穴の内周面にタイトに接触し、所定位置で掛止することができる。なお、上記第一、第二発明にかかる埋め込み栓の表面を凹凸面に仕上げることも可能であり、この場合、後述する硬化性接着剤との接触面積が大となり、さらに接着強度を向上させて埋め込むことができる。
【００１２】
つぎに、本発明の埋め込み栓の施工について説明する。図４は、図１（ａ）に示した逆円錐台形状の栓１ａに、円形台座形状の胴縁受け部１１ａを延設した第一発明にかかる埋め込み栓１を示す側断面図であり、ＡＬＣ４に設けられた下穴４１に予め、硬化性接着剤５を注入し、埋め込み栓１を嵌入後、硬化させたものである。図４からよくわかるように、栓１ａの上面を下穴４１の開口縁４１１よりやや大きめに形成し、下穴４１に軽く叩き込んで嵌入することにより、栓１ａの上面円周部の全部が開口縁４１１にタイトに接触して掛止することができる。このようにして所定位置に保たれた埋め込み栓１は、硬化性接着剤５が固まるまで、抜けたり、盛り上がることなく、かつ、胴縁受け部１１ａの裏面とＡＬＣ４の表面との間に隙間を生じることもなく、面一に仕上げることができる。
【００１３】
図５は上記のようにして下穴４１に埋め込まれた埋め込み栓１に胴縁６をビスＢにより固定した状態を示す側断面図である。また、胴縁６を固定する際、図６（ａ）に示すように、埋め込み栓１の胴縁受け部１１ａに替えて方形台座形状の胴縁受け部１２ａを延設し、この胴縁受け部１２ａの表面に胴縁６を載置する目安となる目印を入れてもよい。図６（ｂ）は、上記胴縁受け部１２ａの目印に従って載置した胴縁６にビスＢを螺入し、埋め込み栓１の中央部に胴縁６をビス留めする状態を示す部分透視斜視図である。
【図面の簡単な説明】
【００１４】
【図１】（ａ）は、第一発明にかかる逆円錐台形状の栓を示す斜視図であり、（ｂ）は、上記の変形例を示す斜視図である。
【図２】（ａ）は、第一発明にかかる逆四角錐台形状の栓を示す斜視図であり、（ｂ）は、第一発明にかかる逆六角錐台形状の栓を示す斜視図である。
【図３】（ａ）は、第二発明にかかる四角柱形状の栓を示す斜視図であり、（ｂ）は、第二発明にかかる六角柱形状の栓を示す斜視図である。
【図４】図１（ａ）に示す栓に円形台座形状の胴縁受け部を延設した埋め込み栓を示す側断面図である。
【図５】図４に示す埋め込み栓に胴縁を固定した状態を示す側断面図である。
【図６】（ａ）は、図１（ａ）に示す栓に方形台座形状の胴縁受け部を延設した埋め込み栓を示す部分透視斜視図であり、（ｂ）は、上記埋め込み栓に胴縁を固定する状態を示す部分透視斜視図である。
【符号の説明】
【００１５】
１          第一発明にかかる埋め込み栓
１ａ        逆円錐台形状の栓
１１ａ      円形台座形状の胴縁受け部
１２ａ      方形台座形状の胴縁受け部
１ｂ        逆円錐台形状の栓の変形例
２ａ        逆四角錐台形状の栓
２ｂ        逆六角錐台形状の栓
３ａ        四角柱形状の栓
３ｂ        六角柱形状の栓
４          ＡＬＣ
４１        上記に設けられた下穴
４１１      上記の開口縁
５          硬化性接着剤
６          胴縁
Ｂ          固定用ビス
【図１】
2005155118.tif 000003
【図２】
2005155118.tif 000004
【図３】
2005155118.tif 000005
【図４】
2005155118.tif 000006
【図５】
2005155118.tif 000007
【図６】
2005155118.tif 000008